(57)【要約】      （修正有）【課題】車両の乗車人員を着衣型エアバッグに、衝撃の強さを軽減する車両用人身保護装置を提供する。【解決手段】車両用人身保護装置はシート３０、着衣型エアバッグ３２およびモニタ装置を備える。前記シートはシートクッション３００、起爆装置、および高圧ガスシリンダ３０４を備える。前記起爆装置は爆発を誘導して開口板３０６を破砕し、前記高圧ガスシリンダ内のガスを押し出す。前記シートクッションの上に設置される前記着衣型エアバッグは給気管およびエアバッグを備える。前記モニタ装置は前記起爆装置に電気的に接続され、衝撃を検知すると、前記起爆装置を制御して前記爆発を誘導し、これにより前記エアバッグが前記給気管を介して前記高圧ガスシリンダから押し出された前記ガスにより充填される。【選択図】図３
2010264965.tif 000002
【特許請求の範囲】
【請求項１】
車両用人身保護装置であって、
シートクッション、起爆装置および高圧ガスシリンダを備えるシートと、
前記シートクッション上に設置され、給気管およびエアバッグを備える着衣型エアバッグと、
前記起爆装置に電気的に接続されるモニタ装置とを備え、
前記起爆装置および前記高圧ガスシリンダは前記シートクッションの下に設置され、前記起爆装置は爆発を誘導して前記高圧ガスシリンダの開口板を破砕して前記高圧ガスシリンダからガスを押し出し、
前記エアバッグは、前記給気管を介して、前記高圧ガスシリンダから押し出された前記ガスにより充填され、
前記モニタ装置は、衝撃を検知すると、前記起爆装置を制御して前記爆発を誘導することを特徴とする、車両用人身保護装置。
【請求項２】
前記シートは結合装置を備え、前記給気管は前記結合装置を介して前記高圧ガスシリンダに接続されることを特徴とする、請求項１に記載の車両用人身保護装置。
【請求項３】
ディスプレイ装置をさらに備え、前記モニタ装置は前記結合装置および前記ディスプレイ装置に電気的に接続されることを特徴とする、請求項２に記載の車両用人身保護装置。
【請求項４】
前記着衣型エアバッグは内張りおよび外張りを備え、前記内張りの編み密度は前記外張りの編み密度より高いことを特徴とする、請求項１に記載の車両用人身保護装置。
【請求項５】
前記高圧ガスシリンダから押し出される前記ガスはヘリウムもしくは窒素からなることを特徴とする、請求項１に記載の車両用人身保護装置。
【発明の詳細な説明】
【技術分野】
【０００１】
本発明は車両用人身保護装置に関し、特に、車両の乗車人員が着衣可能な保護装置に関する。
【背景技術】
【０００２】
現代社会において、車両は既に一般的な交通手段の一つとなっている。車両用エンジンは継続的に改良、開発されており、その結果、車両の運転速度上限をさらに向上することも可能となっている。しかしながら、車両が横転もしくは衝撃を受けた場合には、車両の移動速度が速ければ速いほど、乗車人員の損傷はより深刻なものとなってしまう。従って車両製造業者は、車両および車両の性能を改良するため継続的に研究開発を行うとともに、車両に搭載される保護装置の研究開発にも注力する必要がある。
【０００３】
車両用保護技術の分野においては、保護用エアバッグ装置が最も一般的で知名度が高く、ほとんどの車両に搭載されている。一般的に、車両の保護用エアバッグ装置はハンドルの背後、車両のシート間における仕切り柱（Ｂ支柱と呼ばれることが多い）の背後、もしくは前部座席前の小物入れの背後に設置される。保護用エアバッグ装置はエアバッグ、起爆装置、およびガス高速充填装置を主に備える。追突された等、車両が異常な状態となった場合、車両の電気系は起爆装置を制御してガス高速充填装置を起動し、その結果、大容量のガスをエアバッグに充填して緩衝機構を実現する。
【０００４】
ガス高速充填装置は、スチール基盤、およびスチール基盤内に封止される化学物質（例えばＮａＮ３等）を主に備える。起爆装置が化学物質を誘導し、これにより化学物質は瞬時に化学反応を起こして大容量のガスを生成する。すると、エアバッグが瞬時に充填され、車両の乗車人員と硬質な車体との間に緩衝スペースを形成する。これにより、エアバッグが衝突エネルギを吸収し、車両の乗車人員への損傷を緩和する。
【０００５】
しかしながら、このような保護用エアバッグ装置はどれも車両搭載型である。従って、本発明は、車両の乗車人員が着衣型エアバッグを着用し、また、従来の保護用エアバッグ装置と併用されることで優れた保護効果を実現する車両用人身保護装置を提供する。
【発明の概要】
【発明が解決しようとする課題】
【０００６】
従って、本発明の範囲は、車両の乗車人員を着衣型エアバッグにより保護し、衝撃の強さを軽減する車両用人身保護装置を提供することである。
【課題を解決するための手段】
【０００７】
本発明の実施の形態によれば、本発明の車両用人身保護装置はシート、着衣型エアバッグ、およびモニタ装置を備える。前記シートはシートクッション、起爆装置、および高圧ガスシリンダを備える。
【０００８】
前記起爆装置および前記高圧ガスシリンダはシートクッションの下に設置される。前記起爆装置は爆発を誘導し、前記高圧ガスシリンダの開口板を破砕し、ガスを前記高圧ガスシリンダから押し出す。前記シートクッションに設置される着衣型エアバッグは、給気管およびエアバッグを備える。前記エアバッグは、前記高圧ガスシリンダから押し出されたガスが前記給気管を介して充填される。なお、前記ガスはヘリウムもしくは窒素からなる。前記モニタ装置は前記起爆装置と電気的に接続される。前記モニタ装置は、衝撃を検出すると、前記起爆装置を制御して爆発を誘導させる。
【０００９】
本実施の形態によれば、前記シートはさらに結合装置を備える。前記給気管は、前記結合装置を介して前記高圧ガスシリンダと接続される。また、本発明による車両用人身保護装置はさらに、ディスプレイ装置を備える。前記モニタ装置は、前記結合装置および前記ディスプレイ装置と電気的に接続される。前記着衣型エアバッグが前記結合装置に接続されていない、もしくは正しく接続されていない場合には、前記ディスプレイ装置は警告情報を表示して車両の乗車人員に警告する。
【００１０】
また、本発明による前記着衣型エアバッグは、内張りおよび外張りを備える。内張りの編み密度は外張りの編み密度より高く、そのため前記着衣型エアバッグは外側に向かって限界まで膨張する。
【００１１】
すなわち、本発明は、車両の乗車人員が着用する前記着衣型エアバッグにより、緩衝保護機能を提供する。さらに、前記ガス充填装置は前記モニタ装置に電気的に接続される。衝撃を受ける、または突然減速するなどの異常が車両に発生した場合、前記モニタ装置は前記ガス充填装置を制御して前記着衣型エアバッグに前記ガスを充填し、これにより車両の乗車人員を瞬時に保護する。また、本発明による前記着衣型エアバッグは、前記シートクッションの下に設置される前記高圧ガスシリンダから押し出された前記ガスにより充填される。前記着衣型エアバッグは、前記エアバッグおよび前記給気管を装備していればよく、前記ガス充填装置は不要である。したがって、一般的な衣服を本発明による前記着衣型エアバッグへと変更することができ、前記着衣型エアバッグの意匠的多様化が可能となる。さらに、本発明による車両用人身保護装置は従来のエアバッグ装置に代替するものではなく、既存の保護装置と併用されて包括的な保護機能を実現するものである。
【００１２】
図面を参照して以下に詳細に記載される好適な実施の形態を参照することにより、本発明の目的は当業者にとって自明となる。
【図面の簡単な説明】
【００１３】
【図１】図１は、本発明の実施の形態による車両用人身保護装置の機能ブロック図である。
【図２】図２は、本発明による着衣型エアバッグの、ガスが充填される前の着用状態を示す概略図である。
【図３】図３は、前記着衣型エアバッグの、ガスが充填された後の、前記シートでの座位における着用状態を示す概略図である。
【図４】図４は、図３に示す高圧ガスシリンダおよび起爆装置の概略図である。
【発明を実施するための形態】
【００１４】
図１を参照する。図１は、本発明の実施の形態による車両用人身保護装置３の機能ブロック図である。図１に示すように、本発明の車両用人身保護装置はシート３０、着衣型エアバッグ３２、およびモニタ装置３４を備える。
【００１５】
本実施の形態を明確に理解するため、図２および図３を併せて参照する。図２は、本発明による着衣型エアバッグ３２の、ガスが充填される前の着用状態を示す概略図である。図３は、前記着衣型エアバッグ３２の、ガスが充填された後の、前記シート３０での座位における着用状態を示す概略図である。
【００１６】
図１および図３に示すように、前記着衣型エアバッグ３２は給気管３２２およびエアバッグ３２０を備える。前記シート３０はシートクッション３００、結合装置３０６、起爆装置３０２、および高圧ガスシリンダ３０４を備える。前記起爆装置３０２および前記高圧ガスシリンダ３０４は、前記シートクッション３００の下に設置される。前記結合装置３０６は前記シートクッション３００の近傍に設置される。また、図４は、図３に示す前記高圧ガスシリンダ３０４および前記起爆装置３０２の詳細な概略図である。
【００１７】
使用者は、車両に乗車し前記シート３０の前記シートクッション３００に着席すると、前記シートクッション３００上に配置されていた前記着衣型エアバッグ３２を着用する。使用者は、前記着衣型エアバッグ３２の前記給気管３２２を、前記シートクッション３００近傍の前記結合装置３０６に接続する。前記結合装置３０６は前記高圧ガスシリンダ３０４の排気口に接続される。従って、前記高圧ガスシリンダ３０４がガスを押し出すと、前記結合装置３０６に接続した前記給気管３２２を介して、前記エアバッグ３２０が前記ガスで充填される。
【００１８】
図２において破線で示すように、前記着衣型エアバッグ３２の前記エアバッグ３２０が前記ガスで充填されていない時は、前記エアバッグ３２０は前記着衣型エアバッグ３２とほぼ密着状態にあり、そのため占有体積はかなり小さい。乗車人員が前記着衣型エアバッグ３２を着衣した状態は、一般的な衣服を着用した状態と何ら変わりがない。従って、本発明による着衣型エアバッグ３２にの着用によって、乗車人員が不快になることはない。前記着衣型エアバッグ３２の前記エアバッグ３２０は、車両に異常が発生した場合に前記ガスにより充填される。図３に示すように、緩衝エアクッションが乗車人員の胴体周囲に設置され、それにより乗車人員が受ける衝撃の強さを軽減するような仕組みとなる。
【００１９】
さらに、車両の乗車人員が着用した際の装用感を向上するため、前記着衣型エアバッグ３２における内張りの編み密度は、外張りの編み密度より高くなっている。すなわち、外張りが容易に伸長するのに対し、内張りは容易には伸長しない。従って、前記着衣型エアバッグ３２の前記エアバッグ３２０がガスにより充填されると、前記着衣型エアバッグ３２は、外側には限界まで膨張するが内側には膨張せず、着衣型エアバッグ３２が膨張することにより車両の乗車人員が感じる圧迫感を軽減する。
【００２０】
前記着衣型エアバッグ３２に加えて、前記車両用人身保護装置３はさらに前記モニタ装置３４を備える。前記モニタ装置３４の役割は、車両の状態を監視することであり、車両が衝撃を受けた場合や急激に減速した場合には、前記着衣型エアバッグ３２が前記ガスにより充填される。さらに、図１に示すように、前記モニタ装置３４はディスプレイ装置３６に電気的に接続することも可能である。灯火信号もしくは文字表示を表示する前記ディスプレイ装置３６は、車両の計器パネルに一体的に設置され、前記着衣型エアバッグ３２の接続状態を表示する。例えば、前記着衣型エアバッグ３２が前記シートクッション３００近傍の前記結合装置３０６に正しく接続されていない場合、使用者が車両を運転している際に、適当な灯火信号が計器パネルに表示され、警告音によって車両の乗車人員に警告する。
【００２１】
さらに、前記モニタ装置３４は前記起爆装置３０２に電気的に接続される。前記モニタ装置３４は、衝撃を検知すると、前記起爆装置３０２を制御して小規模の爆発を誘導し、これにより前記高圧ガスシリンダ３０４からガス（ヘリウムもしくは窒素からなる）を押し出して、前記着衣型エアバッグ３２を充填する。図４に示すように、前記高圧ガスシリンダ３０４および前記起爆装置３０２は相互に固定される。従って、前記起爆装置３０２が爆発を誘導すると、爆発による力が前記高圧ガスシリンダ３０４の開口板３０６に直接作用する。前記高圧ガスシリンダ３０４においては、ガスが前記シリンダ３０４に高圧で注入されており、従って、前記開口板３０６が前記起爆装置３０２が誘導した爆発により破砕されると、前記ガスは大容量が高速で前記高圧ガスシリンダ３０４から押し出される。すると、前記高圧ガスシリンダ３０４から押し出された前記ガスは、ガス流通経路を（図４における矢印の方向へ）前記結合装置３０６まで流れ（図３参照）、さらに前記給気管３２２へ流れて前記エアバッグ３２０を充填する。
【００２２】
本発明による前記着衣型エアバッグ３２においては基本的に、乗車人員を保護するために高速でガスを充填する必要がある。しかしながら、前記着衣型エアバッグ３２は車両の乗車人員の胴衣に非常に近接しているため、ガスを高速で充填する際には、その安全性も考慮されなければならない。従って、本発明による前記着衣型エアバッグ３２は、ハンドルの背後に設置される従来の保護用エアバッグに使用される、化学反応（爆発）ガス充填装置によって発生するガスではなく、前記高圧ガスシリンダ３０４から押し出される前記ガスにより充填される。
【００２３】
従来技術とは異なり、本発明は車両の乗車人員が着用する前記着衣型エアバッグによって保護緩衝機能を提供する。前記ガス充填装置は、前記モニタ装置に電気的に接続される。衝撃を受けたり、突然減速するなどの異常が車両に発生すると、前記モニタ装置は前記ガス充填装置を制御して前記着衣型エアバッグに前記ガスを充填し、これにより瞬時に車両の乗車人員を保護する。さらに、本発明による前記着衣型エアバッグは、前記シートクッションの下に設置される前記高圧ガスシリンダから押し出された前記ガスにより充填される。前記着衣型エアバッグは、前記エアバッグおよび前記給気管を装備すればよく、前記ガス充填装置は不要である。従って、一般的な衣服を本発明による前記着衣型エアバッグへ変更することができ、前記着衣型エアバッグの意匠的多様性が可能となる。さらに、本発明による前記車両用人身保護装置は、従来のエアバッグ装置に代替するものではなく、既存の保護装置と併用されて包括的な保護機能を実現するものである。
【００２４】
本発明の特徴および精神は、上記した用例および説明により十分に説明されるものとする。本発明へのいかなる改良および変更は、本発明の教示により、当業者とって自明である。従って、上記の開示は、本発明の請求の範囲によってのみ限定されるべきものとする。
【図１】
2010264965.tif 000003
【図２】
2010264965.tif 000004
【図３】
2010264965.tif 000005
【図４】
2010264965.tif 000006